(57)【要約】  本開示の実施形態は、ブロードキャストシグナリング送信のための方法およびデバイスに関する。一例の実施形態において、ネットワークデバイスは、第１の送信期間内の第１の送信ウィンドウの第１の持続時間内で第１のブロードキャストシグナリングを送信する。その後、ネットワークデバイスは、第１の持続時間と、第１の持続時間に後続する、第１の送信ウィンドウの第２の持続時間との間のブロードキャスティング間隙内で端末デバイスと通信する。さらに、ネットワークデバイスは、第２の持続時間内で第１のブロードキャストシグナリングを送信する。このように、ブロードキャストシグナリング送信のために長い時間期間が予約されることによって引き起こされる中断を低減することができる。【選択図】図４
2019533935.tif 000002
【特許請求の範囲】
【請求項１】
ネットワークデバイスにおいて実施される方法であって、
第１の送信期間内の第１の送信ウィンドウの第１の持続時間内で第１のブロードキャストシグナリングを送信することと、
前記第１の送信ウィンドウの前記第１の持続時間と第２の持続時間との間のブロードキャスティング間隙内で端末デバイスと通信することであって、前記第２の持続時間は、前記第１の持続時間に後続する、通信することと、
前記第２の持続時間内で前記第１のブロードキャストシグナリングを送信することと
を含む、方法。
【請求項２】
前記第１の持続時間内で前記第１のブロードキャストシグナリングを送信することは、１組のビーム方向のうちの第１のビーム方向において、前記第１の持続時間内で前記第１のブロードキャストグナリングを送信することを含み、
前記第２の持続時間内で前記第１のブロードキャストシグナリングを送信することは、前記１組のビーム方向のうちの第２のビーム方向において、前記第２の持続時間内で前記第１のブロードキャストグナリングを送信することを含み、前記第１のビーム方向は前記第２のビーム方向とは異なる、請求項１に記載の方法。
【請求項３】
前記ブロードキャスティング間隙は、
前記ブロードキャスティング間隙内で通信される下りリンクデータの搬送波周波数、
前記ブロードキャスティング間隙内で通信される上りリンク情報の搬送波周波数、
前記下りリンクデータの遅延要件、および
前記上りリンク情報の遅延要件
のうちの１つまたは複数と関連付けられる、請求項１または２に記載の方法。
【請求項４】
前記第１の持続時間および前記第２の持続時間のうちの１つまたは複数は、
前記第１のブロードキャストシグナリングの搬送波周波数、
前記第１のブロードキャストシグナリングのタイプ、
前記ブロードキャスティング間隙内で通信される下りリンクデータの遅延要件、および
前記ブロードキャスティング間隙内で通信される上りリンク情報の遅延要件
のうちの１つまたは複数と関連付けられる、請求項１から３のいずれか一項に記載の方法。
【請求項５】
前記第１のブロードキャストシグナリングは、シグネチャ系列、アクセス情報テーブル、およびページングメッセージのうちの１つまたは複数を含む、請求項１から４のいずれか一項に記載の方法。
【請求項６】
前記第１の送信ウィンドウの第３の持続時間内で前記第１のブロードキャストシグナリングを送信することをさらに含み、前記第３の持続時間は前記第２の持続時間に後続し、前記第２の持続時間と前記第３の持続時間との間のブロードキャスティング間隙は、前記第１の持続時間と前記第２の持続時間との間の前記ブロードキャスティング間隙に等しい、請求項１に記載の方法。
【請求項７】
前記第１のブロードキャストシグナリングは、第１のブロードキャスティング方式を使用して送信され、前記方法は、
第２の送信期間内の第２の送信ウィンドウの第４の持続時間内で第２のブロードキャストシグナリングを送信するために、前記第１のブロードキャスティング方式と関連付けられる第２のブロードキャスティング方式を使用することをさらに含む、請求項１に記載の方法。
【請求項８】
前記第１のブロードキャストシグナリングは、シグネチャ系列を含み、前記第２のブロードキャストシグナリングは、アクセス情報テーブルを含む、請求項７に記載の方法。
【請求項９】
端末デバイスにおいて実施される方法であって、
第１の送信期間内でネットワークデバイスによって送信される第１のブロードキャストシグナリングの第１のブロードキャスティング方式を決定することと、
前記第１のブロードキャスティング方式に基づいて、前記第１の送信期間に後続する第２の送信期間内で前記ネットワークデバイスによって送信されることになる第２のブロードキャストシグナリングの第２のブロードキャスティング方式を決定することと、
前記第２のブロードキャスティング方式に基づいて前記第２のブロードキャストシグナリングを検出することと
を含む、方法。
【請求項１０】
前記第１のブロードキャスティング方式を決定することは、
前記第１の送信期間内で前記第１のブロードキャストシグナリングを検出することと、
前記検出されている第１のブロードキャストシグナリングに基づいて前記第１のブロードキャスティング方式を決定することと
を含む、請求項９に記載の方法。
【請求項１１】
前記第１のブロードキャストシグナリングを検出することは、
前記第１の送信期間内の第１の送信ウィンドウの第１の持続時間内で前記第１のブロードキャストシグナリングを検出することを含む、請求項１０に記載の方法。
【請求項１２】
前記第１のブロードキャスティング方式に基づいてブロードキャスティング間隙を決定することと、
前記ブロードキャスティング間隙に基づいて、前記第１の送信ウィンドウの第２の持続時間を決定することであって、前記第２の持続時間は、前記第１の持続時間に後続する、決定することと、
前記第２の持続時間内で前記第１のブロードキャストシグナリングを検出することと
をさらに含む、請求項１１に記載の方法。
【請求項１３】
前記ブロードキャスティング間隙は、
前記ブロードキャスティング間隙内で通信される下りリンクデータの搬送波周波数、
前記ブロードキャスティング間隙内で通信される上りリンク情報の搬送波周波数、
前記下りリンクデータの遅延要件、および
前記上りリンク情報の遅延要件
のうちの１つまたは複数と関連付けられる、請求項１２に記載の方法。
【請求項１４】
前記第１の持続時間および前記第２の持続時間のうちの１つまたは複数は、
前記第１のブロードキャストシグナリングの搬送波周波数、
前記第１のブロードキャストシグナリングのタイプ、
前記ブロードキャスティング間隙内で通信される下りリンクデータの遅延要件、および
前記ブロードキャスティング間隙内で通信される上りリンク情報の遅延要件
のうちの１つまたは複数と関連付けられる、請求項１２または１３に記載の方法。
【請求項１５】
前記ブロードキャスティング間隙内で前記ネットワークデバイスと通信することをさらに含む、請求項１２から１４のいずれか一項に記載の方法。
【請求項１６】
前記第１のおよびブロードキャストシグナリングのうちの１つまたは複数は、シグネチャ系列、アクセス情報テーブル、およびページングメッセージのうちの１つまたは複数を含む、請求項９から１５のいずれか一項に記載の方法。
【請求項１７】
前記第１のブロードキャストシグナリングは、シグネチャ系列を含み、前記第２のブロードキャストシグナリングは、アクセス情報テーブルを含む、請求項９から１５のいずれか一項に記載の方法。
【請求項１８】
デバイスであって、
プロセッサおよびメモリを備え、前記メモリは、前記プロセッサによって実行可能な命令を含み、それにより前記デバイスが請求項１から８のいずれか一項に記載の方法を実施するように動作可能である、デバイス。
【請求項１９】
デバイスであって、
プロセッサおよびメモリを備え、前記メモリは、前記プロセッサによって実行可能な命令を含み、それにより前記デバイスが請求項９から１７のいずれか一項に記載の方法を実施するように動作可能である、デバイス。
【請求項２０】
コンピュータプログラムを有形に記憶するコンピュータ可読記憶媒体であって、前記コンピュータプログラムは、少なくとも１つのプロセッサ上で実行されると、前記少なくとも１つのプロセッサに、請求項１から８のいずれか一項に記載の方法を実行させる命令を含む、コンピュータ可読記憶媒体。
【請求項２１】
コンピュータプログラムを有形に記憶するコンピュータ可読記憶媒体であって、前記コンピュータプログラムは、少なくとも１つのプロセッサ上で実行されると、前記少なくとも１つのプロセッサに、請求項９から１７のいずれか一項に記載の方法を実行させる命令を含む、コンピュータ可読記憶媒体。
【発明の詳細な説明】
【技術分野】
【０００１】
本開示の実施形態は、一般に、電気通信の分野に関し、特に、ブロードキャストシグナリング送信のための方法およびデバイスに関する。
【背景技術】
【０００２】
現在のセルラシステムと比較して、Ｎｅｗ  Ｒａｄｉｏ（ＮＲ）システムは、ネットワークエネルギー消費および不要な残留干渉を低減するために、ネットワークデバイス（例えば、ｅＮＢ）が、より低い頻度で、例えば、より長い送信期間内でブロードキャストシグナリングを送信することを必要とし得る。例えば、アクセス情報テーブル（ＡＩＴ）が、１０．２４秒ごとに１回送信されることが提案されている。それゆえ、送信期間は１０．２４秒である。シグネチャ系列（ＳＳ）が、１００ｍｓごとに送信されることも提案されている。しかしながら、送信期間が長くなると、受信機性能の要求が高くなる。受信機が１つの送信期間内でブロードキャストシグナリングを復号することが不可能である場合、受信機は、次の送信期間が復号を実施するのを待たなければならない。この状況において、送信利得を増大させ、さらに、受信機性能を確保し、例えば、より高い周波数におけるより大きい経路損失を補償するために、ビーム形成および／または反復が使用されることが考慮される。
【０００３】
ブロードキャストシグナリング送信において複数のビームまたは反復を有効化するために、１つの固定時間期間がビーム掃引または反復送信のために予約されることが、ＮＲシステムについて提案されている。例えば、ＡＩＴのための時間期間は１０ｍｓであり、ＳＳのための時間期間は１ｍｓである。この時間期間内で、ネットワークデバイスは、ＡＩＴまたはＳＳを送信するためにビームを連続的に掃引する。しかしながら、そのような固定の長い時間期間は、ネットワークデバイスと、ネットワークデバイスによってサーブされる端末デバイスとの間に通信中断を引き起こす可能性がある。通信中断は、システム性能を著しく劣化させる可能性があり、それゆえ、一般的には許容されないものであり得る。その上、何らかの緊急上りリンクトラフィック情報が送信されるべきである場合、ブロードキャスト送信のための時間期間は、耐えられない長い時間遅延をもたらすことになる。
【０００４】
さらに、データ送信とＳＳ／ＡＩＴ送信とは異なるビームを必要とする可能性があり得るため、すべてのアンテナポートがＳＳ／ＡＩＴ送信に使用される場合、下りリンク（ＤＬ）における長いデータサービス中断が誘発される可能性もある。さらに、デジタルビーム形成方式がネットワークデバイスにおいて使用される場合、ＤＬにおけるＳＳ／ＡＩＴ送信の時間期間が長いことに起因して、時分割複信（ＴＤＤ）システム内でＵＬにおける長いデータサービス中断が生じることになる。
【発明の概要】
【０００５】
一般に、本開示の一例の実施形態は、上記で分析した少なくとも１つの問題を解決するために、ブロードキャストシグナリング送信のための方法およびデバイスを提供する。また、本開示の一例の実施形態は、関連するブロードキャスティング方式も提供する。
【０００６】
第１の態様において、ネットワークデバイスにおいて実施される方法が提供される。本方法によれば、ネットワークデバイスは、第１の送信期間内の第１の送信ウィンドウの第１の持続時間内で第１のブロードキャストシグナリングを送信する。その後、ネットワークデバイスは、第１の送信ウィンドウの第１の持続時間と第２の持続時間との間のブロードキャスティング間隙内で端末デバイスと通信する。第２の持続時間は、第１の持続時間に後続する。さらに、ネットワークデバイスは、第２の持続時間内で第１のブロードキャストシグナリングを送信する。
【０００７】
いくつかの実施形態において、ネットワークデバイスは、１組のビーム方向のうちの第１のビーム方向において第１の持続時間内で第１のブロードキャストシグナリングを送信することができ、１組のビーム方向のうちの第２のビーム方向において第２の持続時間内で第１のブロードキャストシグナリングを送信することができる。第１のビーム方向は第２のビーム方向とは異なる。
【０００８】
いくつかの実施形態において、ブロードキャスティング間隙は、ブロードキャスティング間隙内で通信される下りリンクデータの搬送波周波数、ブロードキャスティング間隙内で通信される上りリンク情報（例えば、データおよびシグナリングを含む）の搬送波周波数、ブロードキャスティング間隙内で通信される下りリンク／上りリンク情報のサービスタイプのうちの１つまたは複数と関連付けることができる。
【０００９】
いくつかの実施形態において、第１の持続時間および第２の持続時間のうちの１つまたは複数は、第１のブロードキャストシグナリングの搬送波周波数、および、第１のブロードキャストシグナリングのタイプのうちの１つまたは複数と関連付けることができる。いくつかの実施形態において、下りリンクデータの遅延要件および上りリンク情報の遅延要件は、シグナリングをブロードキャストするための持続時間に影響を与える。したがって、ブロードキャスティング方式の設計において、これらのファクタが考慮され得る。加えて、２つ以上のビーム／反復を、それぞれの持続時間内での送信に使用することができる。実際には、単純化する目的のために、これらのファクタを省略することができる。
【００１０】
いくつかの実施形態において、第１のブロードキャストシグナリングは、シグネチャ系列、アクセス情報テーブル、およびページングメッセージのうちの１つまたは複数を含んでもよい。
【００１１】
いくつかの実施形態において、ネットワークデバイスはさらに、第２の持続時間に後続する第１の送信ウィンドウの第３の持続時間内で第１のブロードキャストシグナリングを送信することができる。第２の持続時間と第３の持続時間との間のブロードキャスティング間隙は、第２の持続時間と第３の持続時間との間のブロードキャスティング間隙に等しい。
【００１２】
いくつかの実施形態において、第１のブロードキャストシグナリングは、第１のブロードキャスティング方式を使用して送信することができる。ネットワークデバイスはさらに、第１のブロードキャスティング方式と関連付けられる第２のブロードキャスティング方式を使用することによって、第２の送信期間内の第２の送信ウィンドウの第４の持続時間内で第２のブロードキャストシグナリングを送信することができる。いくつかの実施形態において、第２のブロードキャストシグナリングの送信方式は、第１のブロードキャスト信号によって搬送される情報によって示すことができる。
【００１３】
いくつかの実施形態において、第１のブロードキャストシグナリングは、シグネチャ系列を含んでもよく、第２のブロードキャストシグナリングは、アクセス情報テーブルを含んでもよい。
【００１４】
第２の態様において、端末デバイスにおいて実施される方法が提供される。本方法によれば、端末デバイスは、第１の送信期間内でネットワークデバイスによって送信される第１のブロードキャストシグナリングの第１のブロードキャスティング方式を決定する。端末デバイスは、第１のブロードキャスティング方式に基づいて、第１の送信期間に後続する第２の送信期間内でネットワークデバイスによって送信されることになる第２のブロードキャストシグナリングの第２のブロードキャスティング方式を決定する。一例として、端末デバイスは、第１のブロードキャスト信号によって搬送される情報に基づいて、第２のブロードキャストシグナリングの第２のブロードキャスティング方式を決定することができる。その後、端末デバイスは、第２のブロードキャスティング方式に基づいて第２のブロードキャストシグナリングを検出する。
【００１５】
いくつかの実施形態において、端末デバイスは、第１の送信期間内で第１のブロードキャストシグナリングを検出することができる。端末デバイスは、その後、検出されている第１のブロードキャスト信号に基づいて第１のブロードキャスティング方式を決定することができる。
【００１６】
いくつかの実施形態において、端末デバイスは、第１の送信期間内の第１の送信ウィンドウの第１の持続時間内で第１のブロードキャストシグナリングを検出することができる。
【００１７】
いくつかの実施形態において、端末デバイスは、第１のブロードキャスティング方式に基づいてブロードキャスティング間隙を決定することと、ブロードキャスティング間隙に基づいて、第１の送信ウィンドウの第２の持続時間を決定することであって、第２の持続時間は、第１の持続時間に後続する、決定することと、第２の持続時間内で第１のブロードキャストシグナリングを検出することとをさらに行うことができる。
【００１８】
いくつかの実施形態において、端末デバイスは、ブロードキャスティング間隙第２の持続時間内でネットワークデバイスと通信することをさらに行うことができる。
【００１９】
第３の態様において、プロセッサおよびメモリを備えるデバイスが提供される。メモリは、プロセッサによって実行可能な命令を含み、それによって、デバイスは、第１の態様または第２の態様による方法を実施するように動作可能である。
【００２０】
第４の態様において、コンピュータプログラムを有形に記憶するコンピュータ可読記憶媒体が提供される。コンピュータプログラムは、少なくとも１つのプロセッサ上で実行されると、少なくとも１つのプロセッサに、第１の態様または第２の態様による方法を実行させる命令を含む。
【００２１】
以下の説明を通じて、本開示の実施形態によれば、一態様において、分離されている持続時間がブロードキャストシグナリング送信に使用され、持続時間の間のブロードキャスティング間隙が、ネットワークデバイスと、ネットワークデバイスによってサーブされる端末デバイスとの間の通信に使用されることが諒解されるであろう。したがって、ネットワークデバイスは、送信期間内の送信ウィンドウの不連続な持続時間内でブロードキャストシグナリングを送信する。ネットワークデバイスはまた、ブロードキャスティング間隙内で端末デバイスと通信する。このように、ブロードキャストシグナリングを送信するために長い時間期間が予約されることによって引き起こされる中断を低減することができる。
【００２２】
別の態様において、異なるブロードキャストシグナリングの送信のための異なるブロードキャスティング方式の間の関連付けおよび依存関係が予め決定される。したがって、端末デバイスは、さらなるブロードキャストシグナリングのブロードキャスティング方式に基づいて、ブロードキャストシグナリングのブロードキャスティング方式を決定する。このように、端末デバイスにブロードキャスティング方式を通知するためのシグナリングを節約することができ、ブラインド検出によるブロードキャスティング方式の決定のための端末デバイスの複雑度／遅延を低減することができる。
【００２３】
この概要節は本開示の実施形態の重要なまたは必須の特徴を特定するようには意図されておらず、本開示の範囲を限定するために使用されるようにも意図されていないことは理解されたい。本開示の他の特徴が、以下の説明を通じて容易に理解できるようになるであろう。
【００２４】
添付の図面内の本開示のいくつかの実施形態のより詳細な記載を通じて、本開示の上記のおよび他の目的、特徴および利点がより明らかになるであろう。
【図面の簡単な説明】
【００２５】
【図１】従来技術におけるＡＩＴの一例の送信タイミングを示す図である。
【図２】従来技術におけるＡＩＴの一例の送信タイミングを示す図である。
【図３】本開示の実施形態を実施することができる通信ネットワークを示す図である。
【図４】本開示のいくつかの実施形態によるネットワークデバイスにおける方法のフローチャートである。
【図５】本開示のいくつかの実施形態によるブロードキャストシグナリング送信のための一例の持続時間を示す図である。
【図６】本開示のいくつかの実施形態によるブロードキャストシグナリング送信のための一例の持続時間を示す図である。
【図７】本開示のいくつかの実施形態によるブロードキャストシグナリング送信のための一例の持続時間を示す図である。
【図８】本開示のいくつかの実施形態による端末デバイスにおける方法のフローチャートである。
【図９】本開示のいくつかの実施形態によるネットワークデバイスのブロック図である。
【図１０】本開示のいくつかの実施形態による端末デバイスのブロック図である。
【図１１】本開示の実施形態を実施するのに適したデバイスの簡略ブロック図である。
【発明を実施するための形態】
【００２６】
図面全体を通じて、同じまたは類似の参照符号は、同じまたは類似の要素を表す。
【００２７】
本開示の原理を、ここでいくつかの一例の実施形態を参照しながら記載する。これらの実施形態は例示のみを目的として説明されており、本開示の範囲に関して何ら限定を示唆することなく、当業者が本開示を理解し実施するのを助けることは理解されたい。本明細書において記載されている開示は、後述するもの意外の様々な方法で実施することができる。
【００２８】
以下の説明および特許請求の範囲において、別途定義されない限り、本明細書において使用されるすべての技術用語および科学用語は、当業者によって一般的に理解されているものと同じ意味を有する。
【００２９】
本明細書において使用される場合、「ネットワークデバイス」という用語は、端末デバイスが通信することがでるセルまたはカバレッジを提供またはホストすることが可能なデバイスを指す。ＢＳの例は、限定ではないが、ノードＢ（ＮｏｄｅＢまたはＮＢ）、発展型ＮｏｄｅＢ（ｅＮｏｄｅＢまたはｅＮＢ）、リモートラジオユニット（ＲＲＵ）、無線ヘッド（ＲＨ）、リモート無線ヘッド（ＲＲＨ）、フェムトノード、ピコノードのような低電力ノードなどを含む。論述の目的のために、以下において、いくつかの実施形態は、ネットワークデバイスの一例としてｅＮＢを参照しながら説明される。
【００３０】
本明細書において使用される場合、「端末デバイス」または「ユーザ機器」（ＵＥ）という用語は、無線または有線通信機能を有する任意のデバイスを指す。端末デバイスの例は、限定ではないが、パーソナルコンピュータ、デスクトップ、携帯電話、セルラ電話、スマートフォン、個人情報端末（ＰＤＡ）、ポータブルコンピュータ、デジタルカメラのような画像キャプチャデバイス、ゲーミングデバイス、音楽記憶および再生機器、または、無線および有線インターネットアクセスおよびブラウジングなどを可能にするインターネット家電を含む。端末デバイスはまた、端末間（Ｄ２Ｄ）サイドリンク、またはセルラ上りリンクを介するＶｅｈｉｃｌｅ−ｔｏ  Ｅｖｅｒｙｔｈｉｎｇ（Ｖ２ｘ）通信する車両をも含み得る。論述の目的のために、以下において、いくつかの実施形態は、端末デバイスの例としてＵＥを参照しながら説明され、「端末デバイス」および「ユーザ機器」（ＵＥ）という用語は、本開示の文脈において交換可能に使用することができる。
【００３１】
本明細書において使用される場合、「持続時間」という用語は、信号が送信される時間の継続期間を指す。「ブロードキャスティング間隙」という用語は、ブロードキャストシグナリングを送信することができない、シグナリング送信をブロードキャストするための異なる持続時間の間の間隙を指す。例えば、複数の持続時間において信号がブロードキャストされる必要がある場合、持続時間の間に、信号をブロードキャストすることができないいくつかのブロードキャスティング間隙が存在することになる。
【００３２】
本明細書において使用される場合、「ブロードキャストシグナリング」という用語は、ネットワークデバイスによってブロードキャストされる任意の適切なシグナリングを指す。ブロードキャストシグナリングは、限定ではないが、ＡＩＴ、ＳＳ、ページングメッセージ、および他のシステム情報を含むことができる。
【００３３】
本明細書において使用される場合、「ブロードキャスティング方式」または「ブロードキャスティングパターン」または「送信（ＴＸ）パターン」という用語は、限定ではないが、ブロードキャストシグナリング送信のための持続時間、異なる持続時間の間のブロードキャスティング間隙、ビーム形成方式、ブロードキャストシグナリング送信のための開始時間などを含む、ブロードキャストシグナリングを送信するための方式またはパターンを指す。論述の目的のために、「ブロードキャスティング方式」および「ブロードキャスティングパターン」という用語は、本開示の文脈において交換可能に使用することができる。
【００３４】
本明細書において使用される場合、「送信期間」という用語は、システム情報が周期的にブロードキャストされる周期を指す。送信期間は、送信期間内に完全に含まれる送信ウィンドウを含むことができる。送信ウィンドウの長さは、送信期間以下であり得る。さらに、送信ウィンドウは、送信期間内の任意の適切な位置に配置されてもよい。例として、送信ウィンドウの開始時間は、送信期間の開始時間に位置整合することができる。
【００３５】
本明細書において使用される場合、単数形「１つの」（“ａ，”  “ａｎ”）および「その」（“ｔｈｅ”）は、別途文脈が明確に指示していない限り、複数形も含むように意図される。「含む」という用語およびその変化形は、「限定ではないが、〜を含む」ことを意味するオープンな用語として読解されるべきである。「基づく」という用語は「少なくとも部分的に基づく」として読解されるべきである。「１つの実施形態」および「一実施形態」という用語は、「少なくとも１つの実施形態」として読解されるべきである。「別の実施形態」という用語は「少なくとも１つの他の実施形態」として読解されるべきである。明示的および黙示的な他の定義が、下記に含まれる場合がある。
【００３６】
いくつかの例において、値、手順、または装置が、「最低」、「最良」、「最小」などとして参照される。そのような記述は、多くの使用される機能的代替形態のなかからの選択を行うことができ、そのような選択が他の選択に対してより良好であるか、より小さいか、または他の様態で好ましいものである必要はないことを意図していることは諒解されよう。
【００３７】
上述したように、ＡＩＴを送信するための一般的な時間期間（または送信期間）は１０．２４秒である。すなわち、ＵＥがＡＩＴを首尾よく復号することが不可能である場合、ＵＥは、もう一度検出を試行するために１０．２４秒待たなければならない。送信利得を増大させるために、ＮＲシステムにおいて、複数のビームまたは反復がブロードキャスト信号の送信に使用される。典型的には、複数のビームまたは反復は、相対的により長い時間期間を占有する。この時間期間内で、ネットワークデバイスは、ＡＩＴまたはＳＳを送信するためにビームを連続的に掃引する。
【００３８】
図１および図２は、従来技術におけるＡＩＴの一例の送信タイミングを示す。図１に示すように、複数のビームに基づくＡＩＴ送信期間において、ネットワークデバイス１１０は、連続する持続時間内でＡＩＴをブロードキャストするために、異なる特異的なビーム（例えば、ビーム＃０、ビーム＃１、ビーム＃２、．．．、ビーム＃（Ｎ−１））を使用する。同様に、図２に示すような複数の反復に基づくＡＩＴ送信期間において、ネットワークデバイス１１０は、連続する持続時間内でＡＩＴの複数の反復（例えば、反復＃０、反復＃１、反復＃２、．．．、反復＃（Ｎ−１））を送信する。
【００３９】
しかしながら、長い時間期間は、ネットワークデバイスと、ネットワークデバイスによってサーブされる端末デバイスとの間の通常の上りリンクおよび／または下りリンク通信を中断させる可能性がある。したがって、それらの時間期間は、システム性能を著しく劣化させる可能性があり、許容されないものであり得る。
【００４０】
例えば、アナログビーム形成方式がネットワークデバイスにおいて使用される場合、ネットワークデバイスは、ブロードキャスト信号を送信するための時間期間の間は受信動作を実施することが不可能であり、それゆえ、端末デバイスは、上りリンク（ＵＬ）においてネットワークデバイスにいかなる情報を送信することも許容されない。ネットワークデバイスが、ビーム掃引および／または送信反復を介してＡＩＴまたはＳＳのようなブロードキャスト信号を送信するのに長い時間期間がかかるとき、結果もたらされる上りリンクサービス中断は、進行中のＵＬデータ送信と後続のＵＬデータ送信の両方に影響を与える可能性があり、それゆえ、許容されないものであり得る。
【００４１】
特に、何らかの緊急上りリンクトラフィック情報が送信されるべきである場合、ブロードキャストシグナリング送信のための時間期間は、耐えられない長い時間遅延をもたらすことになる。例えば、端末デバイスがその時間期間内でランダムアクセス要求または高速確認応答（ＡＣＫ）／否定ＡＣＫ（ＮＡＣＫ）フィードバックを送信することを意図する場合、端末デバイスは長時間待たねばならず、これによって、ＵＬ送信性能および効率が劣化する可能性がある。
【００４２】
さらに、データ送信とＳＳ／ＡＩＴ送信とは異なるビームを必要とする可能性があり得るため、すべてのアンテナポートがＳＳ／ＡＩＴ送信に使用される場合、下りリンク（ＤＬ）における長いデータサービス中断が誘発される可能性もある。例えば、周波数分割複信（ＦＤＤ）システムにおいて、ＤＬまたはＵＬデータ送信のプリコーディング行列は、一般的に、ＳＳ／ＡＩＴ送信に使用されるビームとは異なる。結果として、ＤＬとＵＬの両方において長いデータサービス中断が生じる可能性がある。
【００４３】
加えて、デジタルビーム形成方式がネットワークデバイスにおいて使用される場合、ＤＬにおけるＳＳ／ＡＩＴ送信の時間期間が長いことに起因して、時分割複信（ＴＤＤ）システム内でＵＬにおける長いデータサービス中断が生じることになる。そのような長時間のトラフィック中断を回避するために、ブロードキャスト信号のためのより柔軟な送信方式が必要とされている。
【００４４】
上記および他の可能性のある問題を少なくとも部分的に解決するために、本開示の実施形態は、ブロードキャスト送信向けに設計された新規のブロードキャスティング方式を用いることによって、ブロードキャストシグナリングの送信の間に不適切な中断を低減する。本開示のいくつかの実施形態によれば、ブロードキャストシグナリングは、ブロードキャスティング間隙によって互いから分離されている持続時間内でネットワークデバイスによって送信される。このように、ネットワークデバイスは、ネットワークデバイスによってサーブされる端末デバイスと通信するために、ブロードキャスト送信のための２つの隣接する持続時間の間のブロードキャスティング間隙を使用することができる。不連続な持続時間を使用することによって、長い時間期間がブロードキャスト信号を連続的に送信するために予約されることによって引き起こされる中断を著しく低減することができる。
【００４５】
加えて、本開示のいくつかの実施形態は、ブロードキャスティングパターンの設定、設定に関係付けられるシグナリング、および、ブロードキャスト信号を検出するための端末デバイスの対応する手順を提供する。
【００４６】
図３は、本開示の実施形態を実施することができる一例の通信ネットワーク３００を示す。ネットワーク３００は、ネットワークデバイス３１０と、３つの端末デバイス３２０−１、３２０−２、および３２０−３（まとめて「端末デバイス」３２０として参照される）とを含む。ネットワークデバイスおよび端末デバイスの数は、何ら限定を示唆することなく、例示のみを目的としていることは理解されたい。ネットワーク１００は、本開示の実施形態を実施するように適合されている任意の適切な数のネットワークデバイスおよび端末デバイスを含んでもよい。
【００４７】
端末デバイス３２０は、ネットワークデバイス３１０と通信することができ、ネットワークデバイス３１０を介して互いに通信することができる。通信は、限定ではないが、ロングタームエボリューション（ＬＴＥ）、ＬＴＥエボリューション、ＬＴＥアドバンスト（ＬＴＥ−Ａ）、広帯域符号分割多元接続（ＷＣＤＭＡ）、符号分割多元接続（ＣＤＭＡ）および汎欧州デジタル移動電話方式（ＧＳＭ）などを含む、任意の適切な規格に従うことができる。さらに、通信は、現在知られているかまたは将来開発される任意の世代の通信プロトコルに従って実施されてもよい。通信プロトコルの例は、限定ではないが、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）通信プロトコルを含む。
【００４８】
上述したように、ブロードキャストシグナリングは、複数のビームまたは反復を使用することによって、相対的に長い送信期間から構成される、連続する持続時間内で送信される。送信期間は、ＵＬおよび／またはＤＬにおいて許容されない中断を引き起こし、それゆえ、システム性能を劣化させる場合がある。本開示の実施形態によれば、ネットワークデバイス３１０は、分離されている持続時間内でブロードキャストシグナリングを送信し、ブロードキャストシグナリングのための２つの隣接する持続時間の間のブロードキャスティング間隙内で１つまたは複数の端末デバイス３２０と通信する。
【００４９】
図４は、本開示のいくつかの実施形態によるネットワークデバイス３１０における一例の方法４００のフローチャートを示す。図示されているように、ブロック４０５において、ネットワークデバイス３１０は、送信期間（「第１の送信期間」として参照される）内の送信ウィンドウ（「第１の送信ウィンドウ」として参照される）の持続時間（「第１の持続時間」として参照される）内でブロードキャストシグナリング（「第１のブロードキャストシグナリング」として参照される）を送信する。その後、ブロック４１０において、ネットワークデバイス３１０は、第１の持続時間と、第１の持続時間に後続する、第１の送信ウィンドウの別の持続時間（「第２の持続時間」として参照される）との間のブロードキャスティング間隙内で、ネットワークデバイス３１０によってサーブされる端末デバイス３２０（例えば、端末デバイス３２０−２、３２０−３）と通信する。ネットワークデバイス３１０と端末デバイス３２０との間の通信は、ブロードキャスティング間隙内の任意の適切な持続時間内で行うことができる。次に、ブロック４１５において、ネットワークデバイス３１０は、第２の持続時間内で第１のブロードキャストシグナリングを送信する。
【００５０】
本開示の実施形態によれば、第１の持続時間と第２の持続時間との間のブロードキャスティング間隙は、ネットワークデバイス３１０と端末デバイス３２０との間の進行中のＵＬデータ送信および新たに発生するＵＬデータ送信に使用することができる。ブロードキャスティング間隙はまた、端末デバイス３２０からネットワークデバイス３１０への高速ＡＣＫ／ＮＡＣＫおよびクイックランダムアクセスのようなＵＬ送信に使用することもできる。
【００５１】
このように、ＡＩＴ／ＳＳ情報ビットのようなブロードキャストシグナリングを、各送信期間内の所定のパターンにおける所定の送信ウィンドウ内で、ビーム掃引および／または反復を用いて送信することができる。したがって、一方では、２つのブロードキャスティング機会の間のブロードキャスティング間隙を、ネットワークデバイス３１０と端末デバイス３２０との間のＵＬ／ＤＬ送信に利用することができる。それゆえ、ブロードキャストシグナリング送信に起因する中断が低減される。
【００５２】
他方では、ブロードキャストシグナリング送信に送信期間内の送信ウィンドウを使用することによって、送信期間内のさらなる時間期間を他の送信に利用可能にすることができ、それゆえ、ＵＬ／ＤＬ通信の中断をさらに回避することができる。加えて、端末デバイス３２０がブロードキャストシグナリングをブラインドに検出することを考慮すると、送信ウィンドウがより短くなることによって、端末デバイスについて処理複雑度を低減し、反復利得を増大させることができる。端末デバイス３２０における一例の動作および特徴を、図８を参照しながら以下の段落において説明する。
【００５３】
ブロック４０５および４１５において、ＡＩＴまたはＳＳのようなブロードキャストシグナリングの送信を、任意の適切な方法で実施することができる。いくつかの実施形態において、第１のブロードキャストシグナリングの全カバレッジを提供するために、ビーム掃引を適用することができる。例えば、ブロードキャスティングは、ビーム掃引を使用してネットワークデバイス３１０によって実施することができる。例えば、第１の持続時間内で、ネットワークデバイス３１０は、第１のビーム方向において第１のブロードキャストシグナリングを送信することができる。第２の持続時間内で、ネットワークデバイス３１０は、第２のビーム方向において第１のブロードキャストシグナリングを送信することができる。第１のビーム方向および第２のビーム方向は異なり、両方とも１組のビーム方向から取得される。
【００５４】
例として、送信ウィンドウ全体を、図５〜図７のいずれかに示すようなブロードキャストシグナリングのための複数の不連続な継続期間に分割することができる。さらに、ブロードキャストシグナリング送信のためのビームを、複数のセットに分割することができる。第１のブロードキャストシグナリングの全カバレッジは、複数のビームを用いた複数の不連続な送信を使用して、第１のブロードキャストシグナリングをブロードキャストすることによって提供される。ブロック４１０に示すように、ブロードキャストシグナリングのための隣接する持続時間の間のブロードキャスティング間隙は、ネットワークデバイスと端末デバイスとの間の通信に使用することができる。このように、ＵＬ／ＤＬ通信のための持続時間およびブロードキャストシグナリング送信のための持続時間は交互配置される。
【００５５】
いくつかの他の実施形態において、ブロードキャスティングは、送信反復に基づくことができる。例えば、第１の持続時間および第２の持続時間内で、ネットワークデバイス３１０は、例えば、全方向性アンテナを用いて、第１のブロードキャストシグナリングを２回送信することができる。同様に、送信セット（ＴＸＳ）から反復パターンを取得することができる。例として、各送信ウィンドウは、複数の送信反復を含むことができる。端末デバイス３２０は、各送信反復または複数の送信反復の組み合わされたシグナリングを暫定的に復号することができる。端末デバイス３２０の動作を、図８を参照しながら以下の段落において詳細に説明する。
【００５６】
システム情報配信のためにビームセット（ビーム掃引の選択肢のための）および送信セット（反復の選択肢のための）概念を使用することによって、端末デバイスが、ＳＳ／ＡＩＴのようなブロードキャストシグナリングを監視し、その検出を試行するために頻繁に起動するのを回避することができる。さらに、ＤＵ／ＵＬスイッチに起因する結果もたらされる無線リソースの断片化を低減することができる。
【００５７】
加えて、各送信機が１つの異なるビームの反復を提供する場合、端末デバイス３２０は、端末間でシンボル情報を組み合わせることを必要としない。したがって、異なる反復が異なる組み合わせを試行するために、端末デバイス３２０がシンボル情報をバッファリングする必要はない。したがって、ブロードキャストシグナリング復号のための多くの反復および異なる組み合わせ試行のためにシンボル情報をバッファリングすることに起因する、ブロードキャストシグナリングを復号するためのＵＥの複雑度を低減することができる。
【００５８】
本開示の実施形態によれば、第１のブロードキャストシグナリングをブロードキャストするための持続時間は、多くの適切なファクタを考慮することによって決定することができる。いくつかの実施形態において、持続時間は、ブロードキャストシグナリングに対して特異的であり得る。例えば、異なるブロードキャストシグナリングは通常、異なるメッセージサイズおよび異なる品質／カバレッジ要件を有し、異なるブロードキャストシグナリングを送信するための持続時間は異なり得る。いくつかの実施形態において、ブロードキャストシグナリング送信の持続時間は、ブロードキャストシグナリングの搬送波周波数と関連付けることができる。例えば、ブロードキャストシグナリングは、より短い送信時間間隔（ＴＴＩ）長など、より短い持続時間内でより高い搬送波周波数においてブロードキャストされ得る。言い換えれば、より高い搬送波周波数におけるブロードキャストシグナリングのための持続時間は、より低い搬送波周波数におけるブロードキャストシグナリングのものよりも短くなり得る。
【００５９】
いくつかの他の実施形態において、持続時間はまた、例えば、ネットワークデバイス３１０の送信電力、端末デバイス３２０の受信機方式、ネットワークデバイス３１０における送信ビーム形成、および端末デバイス３２０における受信機ビーム形成、無線伝播環境などにも依存し得る。
【００６０】
同様に、ブロードキャストシグナリングのための隣接する持続時間の間のブロードキャスティング間隙は、任意の適切なファクタを考慮することによって決定することができる。いくつかの実施形態において、ブロードキャスティング間隙は、ブロードキャスティング間隙内での通信の搬送波周波数と関連付けることができる。例えば、ＤＬデータまたはＵＬ情報（ＵＬシグナリングおよび／またはデータを含む）がより高い搬送波周波数において送信されるブロードキャスティング間隙は、ＤＬデータまたはＵＬ情報がより低い搬送波周波数において送信されるブロードキャスティング間隙よりも短くなり得る。
【００６１】
いくつかの実施形態において、ブロードキャスティング間隙は、無線システムの適用シナリオと関連付けることができる。例えば、遅延に敏感なサービスに適用されるシナリオについて、ブロードキャスティング間隙は、サービスデータ送信の遅延を低減するために短くすべきである。
【００６２】
いくつかの他の実施形態において、ブロードキャストシグナリングのための隣接する持続時間の間のブロードキャスティング間隙は同じとすることができる。これらの実施形態において、ブロック４２０に示すように、ネットワークデバイス３１０はさらに、第２の持続時間に後続する第１の送信ウィンドウの第３の持続時間内で第１のブロードキャストシグナリングを送信することができる。第２の持続時間と第３の持続時間との間のブロードキャスティング間隙は、第１の持続時間と第２の持続時間との間のブロードキャスティング間隙に等しい。
【００６３】
図５〜図７は、本開示のいくつかの実施形態によるブロードキャストシグナリング送信のための一例の持続時間を示す。図示されているように、これらの例において、持続時間は、送信期間内の送信ウィンドウ内で均等に分散される。
【００６４】
図５に示すように、ブロードキャストシグナリングは、ビームセット（例えば、ＢＭＳ  １、．．．、ＢＭＳ  ｎを含む）からの異なるビームを使用して、異なる持続時間内で送信される。ビームセットに基づくそのような持続時間は、ブロードキャストシグナリングのための全カバレッジの部分領域を提供する。加えて、この例において、送信ウィンドウは、送信期間に等しい。図６に示す例は、送信ウィンドウがより短いことを除いて、図５に示すものと同様である。図７は、図５および図６のものと同様の送信パターンが、反復によるブロードキャストシグナリング送信に適用される例を示す。図示されているように、これらの例において、送信ウィンドウは通常、各ブロードキャストシグナリング送信期間の始まりに位置する。
【００６５】
ブロードキャストシグナリング送信の時間関係のパラメータに加えて、ブロードキャスティング方式に関係付けられる他のパラメータまたは態様を設計することができる。例えば、より大きいカバレッジを考慮すると、より高いＴＸビーム形成利得および／またはより多数のＴＸ反復が必要とされ得る。さらに、ＴＴＩ長、サイクリックプレフィックス長、ブロードキャストシグナリングに割り当てられる周波数帯域幅も設計することができる。
【００６６】
良好に設計されたブロードキャスティングパターンによれば、ブロードキャストシグナリング（例えば、ＡＩＴ／ＳＳ）は連続的に送信されなくなる。例えば、ブロードキャストシグナリング送信のための持続時間およびサービスデータのための持続時間は、所定のパターンに従って交互配置することができる。このように、ブロードキャストシグナリング送信に起因する上記サービス中断を、耐えられるレベルにおいて制御することができる。
【００６７】
ブロードキャストシグナリングを監視するための端末デバイスの動作複雑度を低減し、シグナリングオーバヘッドを低減するために、いくつかの実施形態において、異なるブロードキャストシグナリング間の関連付けおよび依存関係を予め決定することができる。このように、１つのタイプのブロードキャストシグナリングの送信（ＴＸ）パターンがブラインド検出によって決定される場合、端末デバイスは、別のタイプのブロードキャストシグナリングのＴＸパターンを決定することができる。これらの実施形態において、ブロック４２５に示すように、ネットワークデバイス３１０は、第２の送信期間内の第２の送信ウィンドウの第４の持続時間内で第２のブロードキャストシグナリングを送信することができる。第２のブロードキャストシグナリングのブロードキャスト方式は、第１のブロードキャストシグナリングの第１のブロードキャスト方式と関連付けて予め決定することができる。
【００６８】
例えば、ＡＩＴのＴＸパターンは、ＳＳのＴＸパターンに依存し得る。ページングメッセージのＴＸパターンもまた、ＳＳのＴＸパターンに依存し得る。別の例として、ページングメッセージのＴＸパターンはまた、ＡＩＴのようなシステム情報によって示すこともできる。
【００６９】
いくつかの実施形態において、端末デバイスの複雑度をさらに低減するために、例えばＳＳなど、いくつかのブロードキャスト信号のＴＸパターンは、ＳＳシーケンスによって黙示的に示すことができる。例えば、異なるＳＳシーケンスセットは、ＳＳに使用される異なるパターンを示すことができる。したがって、ＳＳが検出されると、端末デバイスは、ＳＳ  ＴＸパターンを決定することができる。
【００７０】
いくつかの他の実施形態において、異なるブロードキャストシグナリングのＴＸパターンは、ＴＸパターン決定の複雑度をさらに低減し、かつ／または、シグナリングオーバヘッドを低減するように予め規定することができる。いくつかの実施形態において、ＳＳのＴＸパターンのみが予め規定され、他のブロードキャストシグナリングのＴＸパターンは、そのＳＳパターンに依存する。
【００７１】
このように、異なるパターンを異なるブロードキャストシグナリングに使用することができる。端末デバイスにＴＸパターンを通知するためのシグナリングを節約するために、または、端末デバイスがブラインド検出によってＴＸパターンを決定する複雑度／遅延を低減するために、異なるブロードキャスト信号のＴＸパターンの一定の依存関係が必要であり得る。
【００７２】
したがって、端末デバイス３２０は、異なるブロードキャストシグナリングに対して異なるブロードキャスティング方式の間の関連付けまたは依存関係を使用することができる。図８は、本開示のいくつかの実施形態による端末デバイスにおける一例の方法８００のフローチャートを示す。方法８００は、図３に示される端末デバイス３２０−１において実施することができる。論述の目的のために、方法８００を図３を参照しながら説明する。
【００７３】
図示されているように、ブロック８０５において、端末デバイス３２０−１は、第１のブロードキャストシグナリングの第１のブロードキャスティング方式を決定する。この取得は、任意の適切な方法で実施されてもよい。上述したように、いくつかの実施形態において、種々のブロードキャストシグナリングのための候補ＴＸパターンを予め規定することができる。これらの実施形態において、予め規定されている候補ＴＸパターンは、端末デバイス側に記憶することができる。
【００７４】
いくつかの実施形態において、いくつかのブロードキャストシグナリングのＴＸパターンは、ブロードキャストシグナリング内で黙示的に示すことができる。例えば、ＳＳのＴＸパターンは、ＳＳシーケンスによって示すことができる。これらの実施形態において、端末デバイス３２０−１は、ネットワークデバイスから第１のブロードキャストシグナリングを検出することができる。第１のブロードキャストシグナリングが第１の送信期間内の第１の送信ウィンドウの第１の持続時間内で検出されるのに応答して、端末デバイス３２０−１は、ネットワークデバイスとの後の通信のために、第１のブロードキャストシグナリングから第１のブロードキャスティング方式を決定することができる。
【００７５】
ブロック８１０において、端末デバイス３２０−１は、第１のブロードキャスティング方式に基づいて第２のブロードキャストシグナリングの第２のブロードキャスティング方式を決定する。いくつかの実施形態において、異なるブロードキャストシグナリングのＴＸパターンの間の予め決定されている関連付けまたは依存関係は端末デバイス３２０−１に記憶することができるため、ブロック８１０は必要でない場合がある。代替的に、端末デバイス３２０−１は、ブロック８１０の後に第１のブロードキャストシグナリングの第１のブロードキャスティング方式から、第２のブロードキャストシグナリングの第２のブロードキャスティング方式を決定することができる。
【００７６】
例として、ＡＩＴのＴＸパターンがＳＳのＴＸパターンから依存する実施形態において、ＳＳのＴＸパターンが、例えば、シグナリングシーケンスによって決定される場合、ＡＩＴシグナリングのＴＸパターンを決定することができる。
【００７７】
ブロック８１５において、端末デバイス３２０−１は、第２のブロードキャスティング方式に基づいてネットワークデバイス３１０から第２のブロードキャストシグナリングを検出する。例えば、ＳＳ信号を取得した後、ＳＳを指示メッセージとして復号することによって、ＡＩＴの可能な開始位置を決定することができる。その後、決定されている位置およびＴＸパターンを用いてＡＩＴを検出することができる。端末デバイス３２０−１は、ブロック８１０において、第２のブロードキャスティング方式を知らない場合、ネットワークデバイス３１０からの第２のブロードキャストシグナリングをブラインドに検出することができることに留意されたい。端末デバイス３２０−１は、第２のブロードキャスティング方式を知っている場合、第２のブロードキャストシグナリングを検出するためのおおよその時間位置を推定し、来たる継続期間を待ちながら休息をとることができるため、電力消費を節約することができる。
【００７８】
上述したように、本開示の実施形態によれば、ブロードキャストシグナリングは、予め決定されているブロードキャスティング間隙を有する不連続な持続時間内でブロードキャストすることができる。反復シナリオにおけるこれらの実施形態において、図示されているように、ブロック８２０において、端末デバイス３２０−１は、第１のブロードキャスティング方式に基づいてブロードキャスティング間隙を決定することができる。ブロック８２５において、端末デバイス３２０−１は、ブロードキャスティング間隙に基づいて、第１の持続時間後の、第１の送信ウィンドウの第２の持続時間を決定することができる。ブロック８３０において、端末デバイス３２０−１は、第２の持続時間内でネットワークデバイスから第１のブロードキャストシグナリングを検出することができる。
【００７９】
ＵＥは、多くの反復についてシンボル情報をバッファリングし、ブロードキャストシグナリング復号の種々の組み合わせを試行しなければならないため、端末デバイス３２０−１がＴＸパターンについてアウェアでない場合、送信反復は、端末デバイス３２０−１がブロードキャストシグナリングを復号することをさらに複雑にする可能性がある。第２のブロードキャストシグナリングのＴＸパターンを、以前のブロードキャスト信号の検出に基づいて知ることができる場合、端末デバイス３２０−１は、第２のブロードキャスト信号の検出のためにシンボル情報を組み合わせる方法を正確に知る。
【００８０】
加えて、送信反復において、端末デバイス３２０−１は、各ＴＸＳまたは複数のＴＸＳの組み合わされたシグナリングを暫定的に復号することができる。端末デバイス３２０−１がブロードキャストシグナリングをブラインドに検出するとき、端末デバイス３２０−１の処理複雑度を低減することができ、反復利得を増大させることができるように、ブロードキャストシグナリング送信ウィンドウの長さは可能な限り短くすべきである。
【００８１】
上述したように、端末デバイス３２０−１がブロードキャストシグナリングのＴＸパターンを決定した後、端末デバイス３２０−１は、対応するブロードキャスティング間隙を決定することができる。第１のブロードキャストシグナリングの復号およびネットワークへのアクセスに成功した後、ブロック８３５において、端末デバイス３２０−１は、ブロードキャスティング間隙内でネットワークデバイスと通信することができる。
【００８２】
例えば、端末デバイス３２０−１は、ブロードキャスティング間隙内で、下りリンクデータ送信および上りリンク送信のためのスケジューリングコマンドを監視することができる。端末デバイス３２０−１はまた、ネットワークからの設定に従って、ブロードキャスティング間隙内で、スケジューリング要求を送り、または、ランダムアクセスを実施することもできる。
【００８３】
本開示の実施形態によれば、ブロードキャストシグナリング送信の設計されているパターンによって、不連続な持続時間の間のブロードキャスティング間隙内で、端末デバイス３２０−１に加えて端末デバイス３２０−２および３２０−３も、ＤＬ／ＵＬにおいてネットワークデバイス３１０と通信することができる。このように、システム性能および効率を改善することができる。
【００８４】
図３〜図７を参照しながら上述したネットワークデバイス３１０に関係付けられるすべての動作および特徴が、方法８００にも同様に適用可能であり、同じ効果を有することは理解されたい。単純化する目的のために、それらの詳細は省略する。
【００８５】
図９は、本開示のいくつかの実施形態によるネットワークデバイス９００のブロック図を示す。ネットワークデバイス９００は、図３に示されるようなネットワークデバイス３１０の一例の実施態様と考えることができる。
【００８６】
図示されているように、ネットワークデバイス９００は、第１の送信期間内の第１の送信ウィンドウの第１の持続時間内で第１のブロードキャストシグナリングを送信するように設定されている第１のブロードキャスティングユニット９１０と、第１の持続時間と、第１の持続時間に後続する、第１の送信ウィンドウの第２の持続時間との間のブロードキャスティング間隙内で端末デバイスと通信するように設定されている通信ユニット９２０と、第２の持続時間内で第１のブロードキャストシグナリングを送信するように設定されている第２のブロードキャスティングユニット９３０とを備える。
【００８７】
いくつかの実施形態において、第１のブロードキャスティングユニット９１０は、１組のビーム方向のうちの第１のビーム方向において、第１の持続時間内で第１のブロードキャストグナリングを送信するように設定することができる。第２のブロードキャスティングユニット９３０は、１組のビーム方向のうちの第２のビーム方向において、第２の持続時間内で第１のブロードキャストシグナリングを送信するように設定することができる。第１のビーム方向は第２のビーム方向とは異なる。
【００８８】
いくつかの実施形態において、ブロードキャスティング間隙は、ブロードキャスティング間隙内で通信される下りリンクデータの搬送波周波数、ブロードキャスティング間隙内で通信される上りリンク情報の搬送波周波数、下りリンクデータの遅延要件、および上りリンク情報の遅延要件のうちの１つまたは複数と関連付けることができる。
【００８９】
いくつかの実施形態において、第１の持続時間および第２の持続時間のうちの１つまたは複数は、第１のブロードキャストシグナリングの搬送波周波数、第１のブロードキャストシグナリングのタイプ、ブロードキャスティング間隙内で通信される下りリンクデータの遅延要件、および、ブロードキャスティング間隙内で通信される上りリンク情報の遅延要件のうちの１つまたは複数と関連付けることができる。
【００９０】
いくつかの実施形態において、第１のブロードキャストシグナリングは、シグネチャ系列、アクセス情報テーブル、およびページングメッセージのうちの１つまたは複数を含んでもよい。
【００９１】
いくつかの実施形態において、ネットワークデバイス９００は、第２の持続時間に後続する第１の送信ウィンドウの第３の持続時間内で第１のブロードキャストシグナリングを送信するように設定されている第３のブロードキャスティングユニットをさらに備えることができる。第１の持続時間と第２の持続時間との間のブロードキャスティング間隙は、第２の持続時間と第３の持続時間との間のブロードキャスティング間隙に等しい。
【００９２】
いくつかの実施形態において、ネットワークデバイス９００は、第２の送信期間内の第２の送信ウィンドウの第４の持続時間内で第２のブロードキャストシグナリングを送信するように設定されている第４のブロードキャスティングユニットをさらに備えることができる。第１のブロードキャストシグナリングの第１のブロードキャスティング方式は、第２のブロードキャストシグナリングの第２のブロードキャスティング方式と関連付けて予め決定される。いくつかの実施形態において、第１のブロードキャストシグナリングは、シグネチャ系列を含んでもよく、第２のブロードキャストシグナリングは、アクセス情報テーブルを含んでもよい。
【００９３】
図１０は、本開示のいくつかの実施形態による端末デバイス１０００のブロック図を示す。端末デバイス１０００は、図３に示されるような端末デバイス３２０の一例の実施態様と考えることができる。
【００９４】
図示されているように、端末デバイス１０００は、第１の送信期間内でネットワークデバイスによって送信される第１のブロードキャストシグナリングの第１のブロードキャスティング方式を決定するように設定されている第１の決定ユニット１０１０と、第１のブロードキャスティング方式に基づいて、第１の送信期間に後続する第２の送信期間内でネットワークデバイスによって送信されることになる第２のブロードキャストシグナリングの第２のブロードキャスティング方式を決定するように設定されている第２の決定ユニット１０２０と、第２のブロードキャスティング方式に基づいてネットワークデバイスから第２のブロードキャストシグナリングを検出するように設定されている第１の検出ユニット１０３０とを備える。
【００９５】
いくつかの実施形態において、第１の決定ユニット１０１０は、第１の送信期間内で第１のブロードキャストシグナリングを検出するように設定されている第２の検出ユニットと、検出されている第１のブロードキャスト信号に基づいて第１のブロードキャスティング方式を決定するように設定されている第３の決定ユニットとを備えることができる。
【００９６】
いくつかの実施形態において、端末デバイス１０００は、第１のブロードキャスティング方式に基づいてブロードキャスティング間隙を決定するように設定されている第４の決定ユニットと、ブロードキャスティング間隙に基づいて、第１の持続時間に後続する、第１の送信ウィンドウの第２の持続時間を決定するように設定されている第５の決定ユニットと、第２の持続時間内でネットワークデバイスから第１のブロードキャストシグナリングを検出するように設定されている第３の検出ユニットとをさらに備えることができる。
【００９７】
いくつかの実施形態において、ブロードキャスティング間隙は、ブロードキャスティング間隙内で通信される下りリンクデータの搬送波周波数、ブロードキャスティング間隙内で通信される上りリンク情報の搬送波周波数、下りリンクデータの遅延要件、および上りリンク情報の遅延要件のうちの１つまたは複数と関連付けることができる。
【００９８】
いくつかの実施形態において、第１の持続時間および第２の持続時間のうちの１つまたは複数は、第１のブロードキャストシグナリングの搬送波周波数、第１のブロードキャストシグナリングのタイプ、ブロードキャスティング間隙内で通信される下りリンクデータの遅延要件、および、ブロードキャスティング間隙内で通信される上りリンク情報の遅延要件のうちの１つまたは複数と関連付けることができる。
【００９９】
いくつかの実施形態において、端末デバイス１０００は、第１の持続時間と第２の持続時間との間のブロードキャスティング間隙内でネットワークデバイスと通信するように設定されている通信ユニットをさらに備えることができる。
【０１００】
いくつかの実施形態において、第１のブロードキャストシグナリングは、シグネチャ系列、アクセス情報テーブル、およびページングメッセージのうちの１つまたは複数を含んでもよい。第２のブロードキャストシグナリングは、シグネチャ系列、アクセス情報テーブル、およびページングメッセージのうちの１つまたは複数を含んでもよい。
【０１０１】
いくつかの実施形態において、第１のブロードキャストシグナリングは、シグネチャ系列を含んでもよく、第２のブロードキャストシグナリングは、アクセス情報テーブルを含んでもよい。
【０１０２】
ネットワークデバイス９００および端末デバイス１０００に含まれるユニットは方法４００および８００のブロックに対応することが諒解されるべきである。それゆえ、図３〜図８を参照しながら上述したすべての動作および特徴は、ネットワークデバイス９００および端末デバイス１０００に含まれるユニットにも同様に適用可能であり、同様の効果を有する。単純化する目的のために、それらの詳細は省略する。
【０１０３】
ネットワークデバイス９００および端末デバイス１０００に含まれるユニットは、ソフトウェア、ハードウェア、ファームウェア、またはそれらの任意の組み合わせを含む、様々な方法で実装することができる。１つの実施形態において、１つまたは複数のユニットは、例えば、記憶媒体に記憶されている機械実行可能命令など、ソフトウェアおよび／またはファームウェアを使用して実装することができる。機械実行可能命令に加えて、またはその代わりに、ネットワークデバイス９００および端末デバイス１０００内のユニットの部分またはすべては、少なくとも部分的に、１つまたは複数のハードウェア論理構成要素によって実装することができる。例えば、限定ではなく、使用することができるハードウェア論理構成要素の例示的なタイプは、フィールドプログラマブルゲートアレイ（ＦＰＧＡ）、特定用途向け集積回路（ＡＳＩＣ）、特定用途向け標準製品（ＡＳＳＰ）、システムオンチップシステム（ＳＯＣ）、結合プログラム可能論理回路（ＣＰＬＤ）などを含む。
【０１０４】
図１１は、本開示の実施形態を実施するのに適したデバイス１１００の簡略ブロック図である。デバイス１１００は、図３に示されるようなネットワークデバイス３１０または端末デバイス３２０のさらなる一例の実施態様と考えることができる。したがって、デバイス１１００は、それぞれネットワークデバイス３１０または端末デバイス３２０において、または、その少なくとも一部分として実装することができる。
【０１０５】
図示されているように、デバイス１１００は、プロセッサ１１１０と、プロセッサ１１１０に結合されているメモリ１１２０と、プロセッサ１１１０に結合されている適切な送信機（ＴＸ）および受信機（ＲＸ）１１４０と、ＴＸ／ＲＸ１１４０に結合されている通信インターフェースとを含む。メモリ１１２０は、プログラム１１３０の少なくとも一部分を記憶する。ＴＸ／ＲＸ１１４０は、双方向性通信のためのものである。ＴＸ／ＲＸ１１４０は、通信を促進するための少なくとも１つのアンテナを有するが、実際には本出願において言及されているアクセスノードは、いくつかのアンテナを有し得る。通信インターフェースは、ｅＮＢ間の双方向性通信のためのＸ２インターフェース、モビリティ管理エンティティ（ＭＭＥ）／サービングゲートウェイ（Ｓ−ＧＷ）とｅＮＢとの間の通信のためのＳ１インターフェース、ｅＮＢと中継ノード（ＲＮ）との間の通信のためのＵｎインターフェース、またはｅＮＢとＵＥとの間の通信のためのＵｕインターフェースのような、他のネットワーク要素との通信に必要な任意のインターフェースを表すことができる。
【０１０６】
プログラム１１３０は、関連付けられるプロセッサ１１１０によって実行されると、デバイス１１００が図１〜図５を参照しながら本明細書において論じたように、本開示の実施形態に従って動作することを可能にするプログラム命令を含むと仮定される。本明細書における実施形態は、デバイス１１００のプロセッサ１１１０によって実行可能なコンピュータソフトウェアによって、ハードウェアによって、または、ソフトウェアとハードウェアとの組み合わせによって実装することができる。プロセッサ１１１０は、本開示の様々な実施形態を実施するように設定することができる。さらに、プロセッサ１１１０とメモリ１１２０との組み合わせは、本開示の様々な実施形態を実施するように適合されている処理手段１１５０を形成することができる。
【０１０７】
メモリ１１２０は、ローカルな技術ネットワークに適した任意のタイプのものであってもよく、非限定的な例として、非一時的コンピュータ可読記憶媒体、半導体ベースのメモリデバイス、磁気メモリデバイスおよびシステム、光学メモリデバイスおよびシステム、固定メモリおよび取り外し可能メモリのような、任意の適切なデータ記憶技術を使用して実装されてもよい。１つのメモリ１１２０のみがデバイス１１００内に示されているが、いくつかの物理的に個別のメモリモジュールがデバイス１１００内に存在してもよい。プロセッサ１１１０は、ローカルな技術ネットワークに適した任意のタイプのものであってもよく、非限定的な例として、汎用コンピュータ、特殊用途コンピュータ、マイクロプロセッサ、デジタル信号プロセッサ（ＤＳＰ）、および、マルチコアプロセッサアーキテクチャに基づくプロセッサのうちの１つまたは複数を含んでもよい。デバイス１１００は、メインプロセッサを同期させるクロックに対して時間的にスレーブ化される特定用途向け集積回路チップのような、複数のプロセッサを有してもよい。
【０１０８】
一般的に、本開示の様々な実施形態は、ハードウェアもしくは特殊用途回路、ソフトウェア、論理またはそれらの任意の組み合わせにおいて実装されてもよい。いくつかの態様はハードウェアにおいて実装されてもよく、一方で、他の態様は、コントローラ、マイクロプロセッサまたは他のコンピューティングデバイスによって実行することができるファームウェアまたはソフトウェアにおいて実装されてもよい。本開示の実施形態の様々な態様がブロック図、フローチャートとして、またはいくつかの他の図的記述を使用して例示および説明されているが、本明細書において記載されているブロック、装置、システム、技法または方法は、非限定例として、ハードウェア、ソフトウェア、ファームウェア、特殊用途回路もしくは論理、汎用ハードウェアもしくはコントローラもしくは他のコンピューティングデバイス、またはそれらの何らかの組み合わせにおいて実装されてもよいことは諒解されよう。
【０１０９】
本開示はまた、非一時的コンピュータ可読記憶媒体上に有形に記憶される少なくとも１つのコンピュータプログラム製品をも提供する。コンピュータプログラム製品は、プログラムモジュール内に含まれ、図４〜図５のいずれかを参照しながら上述したような方法を実行に移すために、目標の現実のまたは仮想的なプロセッサ上のデバイス内で実行されるもののような、コンピュータ実行可能命令を含む。一般的に、プログラムモジュールは、特定のタスクを実行するかまたは特定の抽象データ型を実装するルーチン、プログラム、ライブラリ、オブジェクト、クラス、コンポーネント、データ構造などを含む。プログラムモジュールの機能性は、様々な実施形態における所望に応じて、プログラムモジュール間で組み合わせまたは分割化することができる。プログラムモジュールの機械実行可能命令は、ローカルまたは分散デバイス内で実行されてもよい。分散デバイスにおいて、プログラムモジュールは、ローカルと遠隔の両方の記憶媒体内に配置されてもよい。
【０１１０】
本開示の方法を実行に移すためのプログラムコードは、１つまたは複数のプログラミング言語の任意の組み合わせで書かれてもよい。これらのプログラムコードは、汎用コンピュータ、特殊目的コンピュータ、または他のプログラム可能データ処理装置のプロセッサまたはコントローラに提供することができ、それによって、プログラムコードは、プロセッサまたはコントローラによって実行されると、フローチャートおよび／またはブロック図において指定される機能／動作が実施されるようにする。プログラムコードは、その全体を機械上で、部分的に機械上で、独立型ソフトウェアパッケージとして、部分的に機械上でかつ部分的に遠隔機械上で、またはその全体を遠隔機械もしくはサーバ上で実行することができる。
【０１１１】
上記のプログラムコードは、命令実行システム、装置、もしくはデバイスによって、またはそれらと関連して使用するためのプログラムを含むか、または記憶することができる任意の有形媒体とすることができる機械可読媒体上で具現化することができる。機械可読媒体は、機械可読信号媒体または機械可読記憶媒体とすることができる。機械可読記憶媒体は例えば、限定ではないが、電子、磁気、光学、電磁、赤外線、もしくは半導体システム、装置、もしくはデバイス、または上記の任意の適切な組み合わせを含むことができる。機械可読記憶媒体のより具体的な例は、１つまたは複数のワイヤを有する電気接続、ポータブルコンピュータディスケット、ハードディスク、ランダムアクセスメモリ（ＲＡＭ）、読み出し専用メモリ（ＲＯＭ）、消去可能プログラマブル読み出し専用メモリ（ＥＰＲＯＭまたはフラッシュメモリ）、光ファイバ、ポータブルコンパクトディスク読み出し専用メモリ（ＣＤ−ＲＯＭ）、光学記憶デバイス、磁気記憶デバイス、または上記の任意の適切な組み合わせを含む。
【０１１２】
さらに、動作は特定の順序において描写されているが、これは、そのような動作が図示されている特定の順序もしくは順次的な順序において実施されること、または、望ましい結果を達成するためにすべての例示されている動作が実施されることを要求するものとして理解されるべきではない。一定の環境状況において、マルチタスク処理および並列処理が有利である場合がある。同様に、いくつかの特異的な実施態様の詳細が上記の論述には含まれているが、これらは、本開示の範囲に対する限定として解釈されるべきではなく、むしろ、特定の実施形態に特異的であり得る特徴の説明として解釈されるべきである。別個の実施形態の文脈において記載されている一定の特定の特徴はまた、単一の実施形態において組み合わせて実施されてもよい。逆に、単一の実施形態の文脈において記載されている様々な特徴はまた、複数の実施形態において別個にまたは任意の適切な部分組み合わせにおいて実施されてもよい。
【０１１３】
構造的特徴および／または方法論的動作に特異的な文言において本開示が説明されているが、添付の特許請求の範囲において定義される本開示は必ずしも、上述した特異的な特徴または動作に限定されないことは理解されたい。そうではなく、上述した特異的な特徴および動作は、特許請求の範囲を実施する一例の形態として開示されている。
【図１】
2019533935.tif 000003
【図２】
2019533935.tif 000004
【図３】
2019533935.tif 000005
【図４】
2019533935.tif 000006
【図５】
2019533935.tif 000007
【図６】
2019533935.tif 000008
【図７】
2019533935.tif 000009
【図８】
2019533935.tif 000010
【図９】
2019533935.tif 000011
【図１０】
2019533935.tif 000012
【図１１】
2019533935.tif 000013
【国際調査報告】
2019533935.tif 000014
2019533935.tif 000015